(57)【特許請求の範囲】
【請求項１】
光源と、該光源の光が端面に入射され、一平面から光を出射する導光板と、前記一平面に対向する光学シートと、前記導光板の前記一平面及び光学シートの間に配され、前記光源、及び、前記一平面の前記光源側の周縁部を覆う覆体とを備えるバックライト装置において、
前記光学シートは貫通孔を有し、
前記覆体は、前記周縁部を覆う第１覆部と、前記端面を覆う第２覆部と、前記第１覆部に設けられ、前記貫通孔に連通する第１孔と、前記第２覆部に設けられた第２孔とを有し、
前記貫通孔及び第１孔に挿入される第１挿入部と、前記第２孔に挿入される第２挿入部と、前記第１及び第２挿入部を連結する連結部とを有し、前記光学シートの面方向の移動を規制する規制部材を備えること
を特徴とするバックライト装置。
【請求項２】
光源と、該光源の光が端面に入射され、一平面から光を出射する導光板と、前記一平面に対向する光学シートと、前記導光板の前記一平面及び光学シートの間に配され、前記光源、及び、前記一平面の前記光源側の周縁部を覆う覆体とを備えるバックライト装置において、
前記光学シートは貫通孔を有し、
前記覆体は、前記周縁部を覆う第１覆部と、前記端面を覆う第２覆部と、前記第１覆部から突出し、前記貫通孔に挿通する突出部と、前記第２覆部に設けられた孔とを有し、
前記貫通孔を挿通した前記突出部と係合する環状部と、前記孔に挿入される挿入部と、前記環状部及び挿入部を連結する連結部とを有し、前記光学シートの面方向の移動を規制する規制部材を備えること
を特徴とするバックライト装置。
【請求項３】
画像を表示する表示パネルと、
該表示パネルに光を照射する請求項１又は請求項２に記載のバックライト装置と
を備えることを特徴とする表示装置。
【発明の詳細な説明】
【技術分野】
【０００１】
本発明は、画像を表示する表示パネルに光を照射するバックライト装置、及び、該バックライト装置を備える表示装置に関する。
【背景技術】
【０００２】
画像を表示する液晶の表示パネルに光を照射するバックライト装置として、表示パネルの一平面に対向する位置にＬＥＤ（Light Emitting Diode）又は冷陰極管等の光源が配置される直下型のバックライト装置（例えば、特許文献１を参照）がある。また、他のバックライト装置として、導光板の端面に対向する位置に光源が配置され、光源から導光板の端面に入射された光を導光板の一平面から表示パネルに光を照射するエッジライト型のバックライト装置がある。【０００３】
現在、表示パネルと、表示パネルに光を照射するバックライト装置とを備える表示装置として、薄型であり、かつ、狭額縁である表示装置が求められている。このような表示装置が備えるエッジライト型の従来のバックライト装置として、光源と導光板の一平面における光源側の周縁部とを覆う覆体を備え、覆体において、導光板が配置される一側の反対側に光学シートが配置されているバックライト装置がある。覆体は、光源から直接に表示パネルに照射されることを防止するために設けられている。【０００４】
このような従来のバックライト装置では、光源が導光板の端面に入射することによって光が導光板の一平面から光学シートを介して表示パネルに照射される。
【先行技術文献】
【特許文献】
【０００５】
【特許文献１】特開２００５−２７６７１６号公報
【発明の概要】
【発明が解決しようとする課題】
【０００６】
しかしながら、従来のバックライト装置では、光学シートが覆体の一側に配置されているだけであるため、光学シートは、従来のバックライト装置を備える表示装置の振動、又は、表示装置に与えられる衝撃によって大きく移動する可能性がある。
光学シートが大きく移動した場合、表示パネルに傷が付き、表示パネルが表示する画像の品位が低下する虞がある。【０００７】
特許文献１に記載の直下型のバックライト装置には、光学シートの周縁部を覆う覆部材と、光源を支持するバックライトシャーシとを螺子によって固定する構成が開示されている。この構成により光学シートの大きな移動を防止することが可能であるため、この構成をエッジライト型の従来のバックライト装置に適用することが考えられる。【０００８】
しかし、従来のバックライト装置に特許文献１に記載の構成を適用したバックライト装置には、覆部材をバックライトシャーシに固定する螺子が必要であり、更に、バックライトシャーシに螺子が螺合する空間を設ける必要がある。このため、特許文献１に記載の構成を適用したバックライト装置には、光学シートの周辺に設けられる空間が広く、高価であるという問題点がある。【０００９】
光学シートの周辺に設けられる空間が広い場合、特許文献１に記載の構成を適用したバックライト装置を備える表示装置では、表示パネルの周縁部を覆う額縁が広い。【００１０】
本発明は斯かる事情に鑑みてなされたものであり、その目的とするところは、光学シートの大きな移動を防止することができる小型で安価なバックライト装置、及び、該バックライト装置を備える表示装置を提供することにある。
【課題を解決するための手段】
【００１１】
本発明に係るバックライト装置は、光源と、該光源の光が端面に入射され、一平面から光を出射する導光板と、前記一平面に対向する光学シートと、前記導光板の前記一平面及び光学シートの間に配され、前記光源、及び、前記一平面の前記光源側の周縁部を覆う覆体とを備えるバックライト装置において、前記光学シートは貫通孔を有し、前記覆体は、前記周縁部を覆う第１覆部と、前記端面を覆う第２覆部と、前記第１覆部に設けられ、前記貫通孔に連通する第１孔と、前記第２覆部に設けられた第２孔とを有し、前記貫通孔及び第１孔に挿入される第１挿入部と、前記第２孔に挿入される第２挿入部と、前記第１及び第２挿入部を連結する連結部とを有し、前記光学シートの面方向の移動を規制する規制部材を備えることを特徴とする。
【００１２】
本発明にあっては、導光板の端面に光源の光が入射され、導光板は、一平面から、該一平面に対向する光学シートを介して光を出射する。導光板の一平面と光学シートとの間には覆体が配されており、覆体は、光源と、導光板の一平面における光源側の周縁部とを覆っている。規制部材は、光学シートと覆体とに係合しており、光学シートの面方向の移動を規制する。
【００１３】
光学シートについては、覆体と規制部材によって面方向の移動を規制されている。このため、光学シートの大きな移動は防止される。更に、規制部材は、光学シートと覆体との係合によって光学シートの面方向の移動を規制しているため、螺子が不要であり、安価である。更に、螺子が螺合する空間を設ける必要がないため、小型である。【００１５】
また、光学シートに貫通孔が設けられている。覆体については、導光板の一平面における光源側の周縁部を覆う第１覆部に、光学シートの貫通孔に連通する第１孔が設けられており、光源からの光が入射される導光板の端面を覆う第２覆部に第２孔が設けられている。規制部材については、第１挿入部と第２挿入部とが連結部によって連結している。規制部材は、第１挿入部が光学シートの貫通孔と第１孔とに挿入され、かつ、第２挿入部が第２孔に挿入されることによって、光学シート及び覆体夫々に係合し、光学シートの面方向の移動を規制する。
【００１６】
本発明に係るバックライト装置は、光源と、該光源の光が端面に入射され、一平面から光を出射する導光板と、前記一平面に対向する光学シートと、前記導光板の前記一平面及び光学シートの間に配され、前記光源、及び、前記一平面の前記光源側の周縁部を覆う覆体とを備えるバックライト装置において、前記光学シートは貫通孔を有し、前記覆体は、前記周縁部を覆う第１覆部と、前記端面を覆う第２覆部と、前記第１覆部から突出し、前記貫通孔に挿通する突出部と、前記第２覆部に設けられた孔とを有し、前記貫通孔を挿通した前記突出部と係合する環状部と、前記孔に挿入される挿入部と、前記環状部及び挿入部を連結する連結部とを有し、前記光学シートの面方向の移動を規制する規制部材を備えることを特徴とする。
【００１７】
本発明にあっては、導光板の端面に光源の光が入射され、導光板は、一平面から、該一平面に対向する光学シートを介して光を出射する。導光板の一平面と光学シートとの間には覆体が配されており、覆体は、光源と、導光板の一平面における光源側の周縁部とを覆っている。規制部材は、光学シートと覆体とに係合しており、光学シートの面方向の移動を規制する。
光学シートについては、覆体と規制部材によって面方向の移動を規制されている。このため、光学シートの大きな移動は防止される。更に、規制部材は、光学シートと覆体との係合によって光学シートの面方向の移動を規制しているため、螺子が不要であり、安価である。更に、螺子が螺合する空間を設ける必要がないため、小型である。
また、光学シートに貫通孔が設けられている。覆体については、導光板の一平面における光源側の周縁部を覆う第１覆部に、光学シートの貫通孔に連通する突出部が設けられており、光源からの光が入射される導光板の端面を覆う第２覆部に孔が設けられている。規制部材については、環状部と挿入部とが連結部によって連結している。規制部材は、環状部が光学シートの貫通孔に連通した突出部に係合され、かつ、挿入部が孔に挿入されることによって、光学シート及び覆体夫々に係合し、光学シートの面方向の移動を規制する。
【００１８】
本発明に係る表示装置は、画像を表示する表示パネルと、該表示パネルに光を照射する前述のバックライト装置とを備えることを特徴とする。【００１９】
本発明にあっては、前述のバックライト装置が表示パネルに光を照射し、表示パネルは画像を表示する。これにより、前述のバックライト装置が有する光学シートの大きな移動が防止される。更に、前述のバックライト装置を備えるため、小型で安価である。
【発明の効果】
【００２０】
本発明によれば、規制部材は光学シート及び覆体に係合することによって光学シートの面方向の移動を規制するので、光学シートの大きな移動を防止することができ、構成が小型で安価である。
【図面の簡単な説明】
【００２１】
【図１】実施の形態１における表示装置の外観図である。
【図２】図１におけるＡ−Ａ線の部分断面図である。
【図３】一側から見た規制部材の斜視図である。
【図４】他側から見た規制部材の斜視図である。
【図５】規制部材を取外したバックライト装置の斜視図である。
【図６】規制部材を取付けたバックライト装置の斜視図である。
【図７】バックライト装置の一部を示す断面斜視図である。
【図８】実施の形態２における表示装置の部分断面図である。
【図９】規制部材の斜視図である。
【図１０】規制部材を取外したバックライト装置の斜視図である。
【図１１】規制部材を取付けたバックライト装置の斜視図である。
【図１２】バックライト装置の一部を示す断面斜視図である。
【発明を実施するための形態】
【００２２】
以下、本発明をその実施の形態を示す図面に基づいて詳述する。
（実施の形態１）
図１は実施の形態１における表示装置の外観図である。この表示装置１は、前側に画像を表示する表示面を有する矩形板状の表示パネル１０を備え、表示パネル１０の前側の周縁部は、中央部に開口１１ａを有する矩形枠状のフレーム１１によって覆われている。表示パネル１０において、表示面の中央部に位置する有効表示領域は開口１１ａから露出している。
【００２３】
ここで、開口１１ａの縦及び横の寸法は、フレーム１１が表示パネル１０の周辺を覆うことができるように、表示パネル１０の縦及び横の寸法よりも若干小さい。
【００２４】
図２は図１におけるＡ−Ａ線の部分断面図である。フレーム１１の断面はＬ字状をなしており、フレーム１１は、表示パネル１０の前側の周縁部を覆う前壁部１１ｂと、前壁部１１ｂに連設され、表示パネル１０の端面を覆う周壁部１１ｃとを有する。フレーム１１の前壁部１１ｂと表示パネル１０の周縁部との間には緩衝材１２が配置されている。
【００２５】
表示装置１は、表示パネル１０の後側にバックライト装置５を更に備え、バックライト装置５は、表示パネル１０の後側から前側に向けて光を照射する。表示パネル１０は、バックライト装置５によって後側から光を照射されて表示面に画像を表示する。表示パネル１０は例えば液晶パネルである。
【００２６】
バックライト装置５は、矩形状の光学シート５０と、矩形板状の導光板５１と、矩形状の反射シート５２と、複数のＬＥＤ５３とを備える。光学シート５０は、視野拡大シート及び反射防止シート等、種々の光学的作用をなす複数枚のシートが積層されることによって構成され、一面が表示パネル１０の後面に密着した状態で配置されている。
【００２７】
光学シート５０の後側には、導光板５１が配置されており、一平面をなす導光板５１の前面は光学シート５０に対向している。導光板５１の後面には、反射シート５２が密着しており、導光板５１の上端面（図の右側）に対向する位置に、複数のＬＥＤ５３が左右方向（図２の紙面に垂直な方向）、具体的には、導光板５１の上端面の長手方向に沿って並置されている。
【００２８】
複数のＬＥＤ５３夫々は、光源として機能し、矢印で示す方向に光を出射し、複数のＬＥＤ５３夫々が出射した光は導光板５１の上端面に入射される。導光板５１は、例えばアクリル樹脂を用いてなり、導光板５１の上端面に入射した光は、前面及び後面での反射を繰り返す。導光板５１を伝播する光が導光板５１の前面で反射する場合、光の一部が光学シート５０に向けて出射される。導光板５１の後面は反射シート５２に密着しているため、後面では、導光板５１を伝播する全ての光が反射する。これにより、導光板５１は、一平面をなす前面から光学シート５０に向けて均一な光を出射する。
【００２９】
複数のＬＥＤ５３の上側には、矩形板状のＬＥＤ基板５４が配置され、ＬＥＤ基板５４の下面は導光板５１の上端面に対向しており、複数のＬＥＤ５３はＬＥＤ基板５４の下面に実装されている。ＬＥＤ基板５４の上面は放熱体５５に密着しており、複数のＬＥＤ５３の発光によってＬＥＤ基板５４に発生した熱は放熱体５５を伝わる。
【００３０】
放熱体５５の断面はＬ字状をなしており、放熱体５５は、導光板５１の上端面を覆い、ＬＥＤ基板５４に密着している上壁部５５ａと、上壁部５５ａに連設されて、導光板５１の後側に配置される後壁部５５ｂとを有している。放熱体５５の後壁部５５ｂは外気にさらされており、ＬＥＤ基板５４で発生した熱は、上壁部５５ａを介して後壁部５５ｂに伝わり、後壁部５５ｂから外気中に放出される。
【００３１】
放熱体５５の後壁部５５ｂと、反射シート５２との間には、バックライトシャーシ５６が配置されており、バックライトシャーシ５６は、導光板５１及び反射シート５２を支持している。また、導光板５１及び反射シート５２における後面の上側、即ち、ＬＥＤ５３側の周縁部と、後壁部５５ｂとの間にはスペーサ５７が配置されている。
【００３２】
バックライト装置５は、更に、複数のＬＥＤ５３と、導光板５１における前面の周縁部の上側とを覆う覆体５８を備えている。覆体５８は、導光板５１の前面と、光学シート５０との間に配され、覆体５８の断面はＬ字状をなしている。覆体５８は、導光板５１における前面の上側の周縁部を覆う第１覆部５８ａと、第１覆部５８ａに連設され、放熱体５５の上壁部５５ａの上側から導光板５１の上端面を覆う第２覆部５８ｂとを有する。
覆体５８の第１覆部５８ａと導光板５１の前面との間には緩衝材５９が配置されている。
【００３３】
光学シート５０の上辺の一部分は表示パネル１０よりも上側に延設されており、光学シート５０は、上側の延設部分に、前後方向に貫通する貫通孔５０ａを有する。覆体５８の第１覆部５８ａには、前後方向に貫通し、貫通孔５０ａと連通する第１孔５８ｃが設けられており、第２覆部５８ｂには、上下方向に貫通する第２孔５８ｄとが設けられている。
【００３４】
バックライト装置５は、更に、光学シート５０及び覆体５８に係合し、光学シート５０による面方向の移動を規制する規制部材６を備えている。規制部材６には、光学シート５０に設けられた貫通孔５０ａと、覆体５８の第１覆部５８ａに設けられた第１孔５８ｃとに挿入される第１挿入部６０が設けられている。また、規制部材６には、覆体５８の第２覆部５８ｂに設けられた第２孔５８ｄに挿入される第２挿入部６１が設けられている。
【００３５】
規制部材６は、更に、第１挿入部６０に連設され、光学シート５０の前側に配置される前壁部６２と、第２挿入部６１及び前壁部６２に連設され、覆体５８における第２覆部５８ｂの上側に配置される上壁部６３とを有する。前壁部６２及び上壁部６３は、第１挿入部６０と第２挿入部６１とを連結し、連結部として機能する。
【００３６】
以上のように、規制部材６は、第１挿入部６０を貫通孔５０ａ及び第１孔５８ｃに挿入し、かつ、前壁部６２及び上壁部６３によって第１挿入部６０に連設してある第２挿入部６１を第２孔に挿入することによって、光学シート５０と覆体５８とに係合している。なお、フレーム１１の周壁部１１ｃにおいて、表示パネル１０の上側の端面を覆う部分は、規制部材６の上壁部６３の上側に位置している。
【００３７】
図３は、一側から見た規制部材６の斜視図であり、図４は、他側から見た規制部材６の斜視図である。規制部材６の第１挿入部６０及び前壁部６２夫々は、図３に示すように、矩形板状をなしており、前壁部６２は、第１挿入部６０の一方の長辺から第１挿入部６０に垂直な方向に突設されており、前壁部６２の一方の長辺は、第１挿入部６０の一方の長辺と連結している。上壁部６３は、矩形板状をなして中央部に矩形状の開口６３ａが設けられており、前壁部６２は、上壁部６３における外側の一辺から上壁部６３に垂直な方向に突設されている。上壁部６３における外側の一辺は、前壁部６２の他方の長辺と連結し、上壁部６３は第１挿入部６０と対向している。
【００３８】
そして、上壁部６３において、開口６３ａを構成する内側の一辺には、矩形板状をなす第２挿入部６１の一辺が連結されている。第２挿入部６１は、板面が上壁部６３の板面よりも下側、即ち、第１挿入部６０側に位置するように配置されている。なお、規制部材６については、弾性を有してさえいれば、樹脂及び板金のいずれを用いても作成することができる。
【００３９】
図５は規制部材６を取外したバックライト装置５の斜視図である。前述したように、覆体５８における第１覆部５８ａの前側に光学シート５０が配置されている。覆体５８の第２覆部５８ｂは、図５に示すように、第１覆部５８ａよりも前側に延設されている部分と、第１覆部５８ａよりも前側に延設されていない部分とを有し、第２覆部５８ｂの前側には凹部５８ｅが設けられている。
【００４０】
更に、前述したように、光学シート５０の上辺の一部分は上側に延設されており、図５に示すように、光学シート５０の延設部分は、覆体５８の凹部５８ｅに配置され、光学シート５０の延設部分には、矩形状の貫通孔５０ａが設けられている。貫通孔５０ａの長手方向は、光学シート５０の長手方向、即ち、左右方向と略一致している。
【００４１】
覆体５８の第２覆部５８ｂは、図５に示すように、長手方向が左右方向と略一致する矩形板状をなしており、第２覆部５８ｂには矩形状の第２孔５８ｄが設けられている。第２孔５８ｄは、第２覆部５８ｂにおいて、凹部５８ｅの左右方向の中央部に対応する位置に設けられている。光学シート５０が覆体５８の前側に配置された場合において、第２孔５８ｄは、光学シート５０の貫通孔５０ａにおける左右方向の中央部に対応する。なお、前述のＡ−Ａ線は、貫通孔５０ａ及び第２孔５８ｄの左右方向の中央部を通る上下方向の線である。
【００４２】
図６は、規制部材６を取付けたバックライト装置５の斜視図であり、図７は、バックライト装置５の一部を示す断面斜視図である。規制部材６は、図６及び図７に示すように、第１挿入部６０を、光学シート５０の貫通孔５０ａと、覆体５８の第１覆部５８ａに設けられた第１孔５８ｃとに挿入し、第２挿入部６１を覆体５８の第２覆部５８ｂに設けられた第２孔５８ｄに挿入することによって、光学シート５０及び覆体５８夫々に係合する。このとき、第２挿入部６１の下面は放熱体５５の上壁部５５ａに対向している。
【００４３】
規制部材６の第２挿入部６１が、覆体５８の第２覆部５８ｂに設けられた第２孔５８ｄに挿入されることによって、規制部材６が覆体５８に対して前後方向及び左右方向、即ち、第２覆部５８ｂの面方向に移動することが防止されている。
【００４４】
規制部材６において、第１挿入部６０及び上壁部６３間の距離は、光学シート５０の上端から貫通孔５０ａの上側までの距離よりも若干大きい。更に、規制部材６における前壁部６２の左右方向の距離は、光学シート５０における貫通孔５０ａの左右方向の距離よりも若干小さい。これにより、光学シート５０の熱膨張を許容することができる。
【００４５】
更に、規制部材６が光学シート５０及び覆体５８夫々に係合しているため、光学シート５０は、覆体５８に対して、上下方向及び左右方向に大きく移動することはない。光学シート５０において、上端から貫通孔５０ａの上側までの部分が規制部材６の前壁部６２と覆体５８の第１覆部５８ａとによって挟持されているため、光学シート５０が上下方向及び左右方向に移動することが抑制され、光学シート５０の面方向の移動が規制されている。また、光学シート５０は、第１挿入部６０及び上壁部６３間の距離と、光学シート５０の上端から貫通孔５０ａの上側までの距離との差以上に上下方向に移動することはなく、前壁部６２の左右方向の距離と、貫通孔５０ａの左右方向の距離との差以上に左右方向に移動することはない。
【００４６】
光学シート５０は、下方向に移動する場合、光学シート５０の貫通孔５０ａの上側と、規制部材６の第１挿入部６０とが接触した後、下方向に更に移動することはない。また、光学シート５０は、上方向に移動する場合、光学シート５０の上端と、規制部材６の上壁部６３とが接触した後、上方向に更に移動することはない。
【００４７】
光学シート５０は、左右方向に移動する場合、光学シート５０の貫通孔５０ａの左側又は右側が、規制部材６の第１挿入部６０に接触した後、左方向又は右方向に更に移動することはない。
【００４８】
以上のように、規制部材６は、光学シート５０の面方向の移動を規制するため、表示装置１の振動、又は、表示装置１に加えられる衝撃等によって光学シート５０が大きく移動することを防止することができる。従って、光学シート５０が大きく移動して、表示パネル１０に傷が付き、表示パネル１０が表示する画像の品位が低下することはない。更に、規制部材６は、光学シート５０と覆体５８との係合によって、螺子を用いずに光学シート５０の面方向の移動を規制することができ、バックライト装置５は安価である。また、螺子を螺合する空間を設ける必要がないため、バックライト装置５は小型である。また、小型で安価なバックライト装置５を備える表示装置１も小型で安価である。
【００４９】
なお、第１挿入部６０及び第２挿入部６１夫々は、矩形板状に限定されない。第１挿入部６０の形状は、光学シート５０の貫通孔５０ａと、覆体５８の第１覆部５８ａに設けられた第１孔５８ｃとに挿入することが可能な形状であればよい。第２挿入部６１の形状も、覆体５８の第２覆部５８ｂに設けられた第２孔５８ｄに挿入することが可能な形状であればよい。また、貫通孔５０ａ、第１孔５８ｃ及び第２孔５８ｄの形状は矩形状に限定されない。貫通孔５０ａ及び第１孔５８ｃ夫々の形状は第１挿入部６０が挿入可能な形状であればよく、第２孔５８ｄの形状は第２挿入部６１が挿入可能な形状であればよい。
【００５０】
更に、規制部材６は、第１挿入部６０と、第２挿入部６１とを連結していればよく、連結部の一部として機能する規制部材６の上壁部６３は、開口６３ａが設けられた形状でなくてもよい。
【００５１】
（実施の形態２）
図８は、実施の形態２における表示装置の部分断面図である。この表示装置７は、実施の形態１における表示装置１と同様に、表示パネル１０、フレーム１１及び緩衝材１２を備えている。表示装置７は、実施の形態１におけるバックライト装置５の代わりにバックライト装置８を備え、バックライト装置８は、表示パネル１０の後側に配置されている。バックライト装置８は、バックライト装置５と同様に、表示パネル１０の後側から前側に向けて光を照射し、表示パネル１０は、バックライト装置８によって後側から光を照射されて表示面に画像を表示する。
【００５２】
バックライト装置８は、実施の形態１におけるバックライト装置５と同様に、光学シート５０、導光板５１、反射シート５２、複数のＬＥＤ５３、ＬＥＤ基板５４、放熱体５５、バックライトシャーシ５６、スペーサ５７及び緩衝材５９を備える。バックライト装置８は、覆体５８の代わりに覆体８０を備え、規制部材６の代わりに規制部材９を備える。
【００５３】
バックライト装置８は、実施の形態１におけるバックライト装置５と比較して、光学シート５０を規制する構成が異なる。以下では、光学シート５０を規制する構成を説明し、実施の形態１と共通する実施の形態２の構成には同様の符号を付してその詳細な説明を省略する。
【００５４】
光学シート５０、導光板５１及び複数のＬＥＤ５３は、実施の形態１と同様に配置されているので、光学シート５０は導光板５１の前面に対向し、複数のＬＥＤ５３が出射した光は導光板５１の上端面に入射され、導光板５１は、前面から均一な光を光学シート５０に向けて出射する。光学シート５０は実施の形態１と同様に貫通孔５０ａを有している。
【００５５】
覆体８０は、実施の形態１における覆体５８と同様に、導光板５１の前面と、光学シート５０との間に配置され、複数のＬＥＤ５３と、導光板５１における前面の周縁部の上側とを覆っている。覆体８０の断面はＬ字状をなしている。覆体８０は、導光板５１における前面の上側の周縁部を覆う第１覆部８０ａと、第１覆部８０ａに連設され、放熱体５５の上壁部５５ａの上側から導光板５１の上端面を覆う第２覆部８０ｂとを有する。覆体８０の第１覆部８０ａと導光板５１の前面との間には緩衝材５９が配置されている。
【００５６】
覆体８０の第１覆部８０ａには突出部８０ｃが設けられおり、突出部８０ｃは第１覆部８０ａの前面から前側に突出している。バックライト装置８では、突出部８０ｃは光学シート５０の貫通孔５０ａを挿通している。また、第２覆部８０ｂには、上下方向に貫通する孔８０ｄが設けられている。
【００５７】
規制部材９は、光学シート５０及び覆体８０に係合し、光学シート５０による面方向の移動を規制する。規制部材９は、光学シート５０の前側に配置される環状部９０を有し、環状部９０は、光学シート５０の貫通孔５０ａを挿通した覆体８０の突出部８０ｃと係合する。規制部材９は、更に、覆体８０の第２覆部８０ｂに設けられた孔８０ｄに挿入される挿入部９１と、放熱体５５の上壁部５５ａの上側に配置され、環状部９０及び挿入部９１を連結する連結部９２とを有している。
【００５８】
以上のように、規制部材９は、環状部９０が光学シート５０の貫通孔５０ａを挿通した覆体８０の突出部８０ｃに係合し、かつ、挿入部９１が覆体８０の第２覆部８０ｂに設けられた孔８０ｄに挿入されることによって、光学シート５０及び覆体８０夫々に係合している。 なお、フレーム１１の周壁部１１ｃにおいて、表示パネル１０の上側の端面を覆う部分は、規制部材９の連結部９２の上側に位置している。
【００５９】
図９は規制部材９の斜視図である。規制部材９の環状部９０は、図９に示すように、矩形板状をなし、中央部に矩形状の開口９０ａを有する。開口９０ａを構成する一辺は、環状部９０の外形をなす一辺と略平行をなしている。連結部９２は、矩形板状をなして環状部９０の外側の一辺から環状部９０の板面に垂直な方向に突設されており、中央部に矩形状の開口９２ａが設けられている。
【００６０】
連結部９２の開口９２ａを構成する内側の一辺には、矩形板状をなす挿入部９１の一辺が連結されている。挿入部９１の板面は、連結部９２の板面よりも下側に位置している。具体的には、挿入部９１の板面は、連結部９２の板面よりも、連結部９２において環状部９０が突設されている方向に位置している。なお、規制部材９についても、規制部材６と同様に、弾性を有してさえいれば、樹脂及び板金のいずれを用いても作成することができる。
【００６１】
図１０は規制部材９を取外したバックライト装置８の斜視図である。光学シート５０は、覆体８０における第１覆部８０ａの前側に配置されている。覆体８０の第２覆部８０ｂは、図１０に示すように、第１覆部８０ａよりも前側に延設されている部分と、第１覆部８０ａよりも前側に延設されていない部分とを有し、第２覆部８０ｂには、前側に凹部８０ｅが設けられている。
【００６２】
更に、光学シート５０の上辺の一部分は実施の形態１と同様に延設されており、光学シート５０の延設部分は、覆体８０の凹部８０ｅに配置され、光学シート５０の延設部分には、矩形状の貫通孔５０ａが設けられている。貫通孔５０ａの長手方向は、光学シート５０の長手方向、即ち、左右方向と略一致している。覆体８０の突出部８０ｃは、矩形板状をなし、突出部８０ｃの板面は光学シート５０に略直交しており、突出部８０ｃの板面に垂直な方向は上下方向に略一致している。突出部８０ｃは、光学シート５０の貫通孔５０ａにおける左右方向の中央部を挿通し、光学シート５０の前側に突出している。
【００６３】
覆体８０の第２覆部８０ｂは、図１０に示すように、長手方向が左右方向と略一致する矩形板状をなしており、第２覆部８０ｂには矩形状の孔８０ｄが設けられている。孔８０ｄは、第２覆部８０ｂにおいて、凹部８０ｅの左右方向の中央部に対応する位置に設けられている。光学シート５０が覆体８０の前側に配置された場合において、孔８０ｄは、光学シート５０の貫通孔５０ａにおける左右方向の中央部と、突出部８０ｃの左右方向の中央部に対応する。なお、図８には、貫通孔５０ａ、突出部８０ｃ及び孔８０ｄの左右方向の中央部を通る上下方向の線における部分断面図が示されている。
【００６４】
図１１は、規制部材９を取付けたバックライト装置８の斜視図であり、図１２はバックライト装置８の一部を示す断面斜視図である。規制部材９は、図１１及び図１２に示すように、光学シート５０の貫通孔５０ａを挿通した覆体８０の突出部８０ｃに開口９０ａを挿通させて環状部９０と突出部８０ｃとを係合し、矩形板状の挿入部９１を、覆体８０の第２覆部８０ｂに設けられた孔８０ｄに挿入することによって、光学シート５０及び覆体８０夫々に係合する。このとき、挿入部９１の下面は放熱体５５の上壁部５５ａに対向している。
【００６５】
規制部材９の挿入部９１が、覆体８０の第２覆部８０ｂに設けられた孔８０ｄに挿入されることによって、規制部材９が覆体８０に対して前後方向及び左右方向、即ち、第２覆部８０ｂの面方向に移動することが防止されている。
【００６６】
光学シート５０の貫通孔５０ａにおける縦及び横の寸法は、覆体８０における突出部８０ｃの先端面の縦及び横の寸法よりも若干大きい。これにより、光学シート５０の熱膨張を許容することができる。
【００６７】
更に、規制部材９が光学シート５０及び覆体８０夫々に係合しているため、光学シート５０は、覆体８０に対して、上下方向及び左右方向に大きく移動することはない。光学シート５０における上側の周縁部の一部分が規制部材９の環状部９０と覆体８０の第１覆部８０ａとのによって挟持されているため、光学シート５０が上下方向及び左右方向に移動することが抑制され、光学シート５０の面方向の移動が規制されている。また、光学シート５０は、突出部８０ｃの上下方向の距離と、光学シート５０の貫通孔５０ａの上下方向の距離との差以上に上下方向に移動することはなく、突出部８０ｃの左右方向の距離と、貫通孔５０ａの左右方向の距離との差以上に左右方向に移動することはない。
【００６８】
光学シート５０は、下方向に移動する場合、光学シート５０の貫通孔５０ａの上側と、覆体８０の突出部８０ｃとが接触した後、下方向に更に移動することはない。また、光学シート５０は、上方向に移動する場合、光学シート５０の貫通孔５０ａの下側と、突出部８０ｃとが接触した後、上方向に更に移動することはない。
【００６９】
光学シート５０は、左右方向に移動する場合、光学シート５０の貫通孔５０ａの右側又は左側が、突出部８０ｃの右側又は左側に接触した後、左方向又は右方向に更に移動することはない。
【００７０】
以上のように、規制部材９は、光学シート５０及び覆体８０夫々を係合することによって光学シート５０の面方向の移動を規制するので、表示装置７の振動、又は、表示装置７に加えられる衝撃等によって光学シート５０が大きく移動することを防止することができる。従って、光学シート５０が大きく移動して、表示パネル１０に傷が付き、表示パネル１０が表示する画像の品位が低下することはない。更に、規制部材９は、光学シート５０と覆体８０との係合によって、螺子を用いずに光学シート５０の面方向の移動を規制することができ、バックライト装置８は安価である。また、螺子を螺合する空間を設ける必要がないため、バックライト装置８は小型である。また、小型で安価なバックライト装置８を備える表示装置７も小型で安価である。
【００７１】
なお、実施の形態２において、規制部材９の環状部９０に設けられた開口９０ａの形状は矩形状に限定されず、覆体８０の突出部８０ｃが挿通可能な形状であればよい。同様に、突出部８０ｃの形状は矩形板状に限定されず、開口９０ａに挿通することが可能な形状であればよい。挿入部９１の形状は、矩形板状に限定されず、覆体８０の第２覆部８０ｂに設けられた孔８０ｄに挿入可能な形状であればよい。覆体８０の第２覆部８０ｂに設けられた孔８０ｄの形状は矩形状に限定されず、挿入部９１が挿入可能な形状であればよい。また、規制部材９は、環状部９０と、挿入部９１とが連結してある形状であればよく、連結部９２は、開口９２ａが設けられた形状でなくてもよい。
【００７２】
また、実施の形態１及び２において、導光板５１の上端面に光を出射する光源は、ＬＥＤ５３に限定されず、例えば冷陰極管であってもよい。
【符号の説明】
【００７３】
１，７  表示装置
１０  表示パネル
５，８  バックライト装置
５０  光学シート
５０ａ  貫通孔
５１  導光板
５３  ＬＥＤ
５８，８０  覆体
５８ａ，８０ａ  第１覆部
５８ｂ，８０ｂ  第２覆部
５８ｃ  第１孔
５８ｄ  第２孔
６，９  規制部材
６０  第１挿入部
６１  第２挿入部
６２  前壁部
６３  上壁部
８０ｃ  突出部
８０ｄ  孔
９０  環状部
９１  挿入部
９２  連結部
【図１】
0005977887.tif 000002
【図２】
0005977887.tif 000003
【図３】
0005977887.tif 000004
【図４】
0005977887.tif 000005
【図５】
0005977887.tif 000006
【図６】
0005977887.tif 000007
【図７】
0005977887.tif 000008
【図８】
0005977887.tif 000009
【図９】
0005977887.tif 000010
【図１０】
0005977887.tif 000011
【図１１】
0005977887.tif 000012
【図１２】
0005977887.tif 000013